(57)【要約】【課題】調光する際に、ユーザーに照度変化による違和感を与えず、操作機会を逃しても再度調光操作し直す必要がなく保安球の調光もできる照明装置を提供すること。【解決手段】  引き紐スイッチＳ１の引き下げ操作時間を制御手段１６がタイマーにより計測し、この計測結果が所定時間（１ｓ）以下であるとき、蛍光灯１４を所定の照度（６５％）に設定し、その計測結果が所定時間（１ｓ）を超えるとき、蛍光灯１４の照度を漸減および漸増させる制御を繰り返し、引き紐スイッチＳ１が再び操作されたとき、蛍光灯１４の照度をこの再操作時の照度で点灯維持する。【選択図】図１
2010113990.tif 000002
【特許請求の範囲】
【請求項１】
第１発光手段を点灯・消灯させるための操作スイッチと、前記操作スイッチに基づいて前記第１発光手段の照度制御と点灯・消灯制御を行う制御手段を備えた照明装置において、
前記制御手段は、
前記操作スイッチの操作がされると前記第１発光手段を所定の照度で発光させ、
この発光中に、前記操作スイッチが操作された場合、この操作開始から操作終了までの時間が所定時間内であるとき、前記第１発光手段を前記所定の照度と異なる照度で点灯させ、
この操作が前記所定時間内に終了しないとき、前記第１発光手段の照度を漸増と漸減させる増減制御を繰り返し、その操作が終了した時、前記第１発光手段の照度をその操作終了時の照度で点灯維持させることを特徴とする照明装置。
【請求項２】
点灯時の最大照度が前記第１発光手段と異なる第２発光手段を設け、
前記制御手段は、前記第１発光手段が前記異なる照度で点灯し、または、前記操作終了時の照度で点灯している際に、前記操作スイッチが操作された場合、
この操作開始から操作終了までの時間が所定時間内であるとき、前記第２発光手段を所定の照度で点灯させ、
この操作が前記所定時間内に終了しないとき、前記第２発光手段の照度を漸増と漸減させる増減制御を繰り返し、その操作が終了した時、前記第２発光手段の照度をその操作終了時の照度で点灯維持させることを特徴とする請求項１に記載の照明装置。
【請求項３】
前記第１，２発光手段の照度が最大値または最小値となった時、その最大値または最小値の照度で一定時間維持することを特徴とする請求項１または請求項２に記載の照明装置。
【発明の詳細な説明】
【技術分野】
【０００１】
この発明は、操作スイッチの操作時間に基づいて発光手段の照度を調整する照明装置に関する。
【背景技術】
【０００２】
従来、蛍光灯などのメインの発光手段（第１発光手段）と保安球などのサブの発光手段（第２発光手段）と、これらを点灯する為の点灯回路と、この点灯回路の制御を介して第１発光手段と第２発光手段の照度を調整する制御手段を有し、第１発光手段および第２発光手段の照度を所定の照度に設定したり、ユーザーが所望する任意の照度に設定したりするための操作スイッチを備えた照明装置が知られている。
【０００３】
このような照明装置には、例えば、ワイヤレスのリモコン送信機を上記操作スイッチとして備えたものが挙げられる。
【０００４】
しかし、リモコン送信機を備えた照明装置にあっては、リモコン送信機を維持管理しなければならない問題がある。
【０００５】
そこで、上記照度調整を引き紐スイッチ（操作スイッチ）で行うことでこれらの問題を解決した照明装置が提案されている（例えば、特許文献１参照）。
【特許文献１】特公昭６２−４８３８
【発明の開示】
【発明が解決しようとする課題】
【０００６】
しかしながら、特許文献１の照明装置は、制御手段が照度を経時的に増加させユーザーが所望する照度となったときに操作スイッチを操作して照度設定するものであるが、制御手段は、照度を増加させる制御の前に、第１発光手段の照度を１００％から一度に５０％以下に落とすため、１００％の照度から徐々に照度を減らし、この後照度を増加させるものに比べてユーザーに違和感を与えてしまう問題があった。
【０００７】
また、特許文献１の照明装置は、第１発光手段の照度を増加させて照度設定する機能しか有していないため、ユーザーが所望する照度となったときに操作機会を逃しその照度を設定することができなかった場合には、再度調光操作し直す必要があり面倒であった。
【０００８】
また、照明装置は、第２発光手段である保安球（豆球、ベビー球）の調光ができない問題があった。
【０００９】
本発明は、上記問題に鑑みてなされたものであり、調光する際に、ユーザーに照度変化による違和感を与えず、操作機会を逃しても再度調光操作し直す必要がなく保安球の調光もできる照明装置を提供することを目的とする。
【課題を解決するための手段】
【００１０】
請求項１の発明は、上記目的を達成する為に、第１発光手段を点灯・消灯させるための操作スイッチと、前記操作スイッチに基づいて前記第１発光手段の照度制御と点灯・消灯制御を行う制御手段を備えた照明装置において、
前記制御手段は、
前記操作スイッチの操作がされると前記第１発光手段を所定の照度で発光させ、
この発光中に、前記操作スイッチが操作された場合、この操作開始から操作終了までの時間が所定時間内であるとき、前記第１発光手段を前記所定の照度と異なる照度で点灯させ、
この操作が前記所定時間内に終了しないとき、前記第１発光手段の照度を漸増と漸減させる増減制御を繰り返し、その操作が終了した時、前記第１発光手段の照度をその操作終了時の照度で点灯維持させることを特徴とする。
【発明の効果】
【００１１】
本発明によれば、調光する際に、ユーザーに照度変化による違和感を与えず、操作機会を逃しても再度調光操作し直す必要がなく保安球の調光もできる。
【発明を実施するための最良の形態】
【００１２】
以下、本発明の実施例を図面に従って説明する。
【実施例】
【００１３】
図１は、本実施例の照明装置の回路構成を示すブロック図である。図２は、本実施例の照明装置の全光点灯モードのタイムチャートを示す図である。図３は、実施例の照明装置の調光点灯モード（蛍光灯の照度設定）のタイムチャートを示す図である。図４は、実施例の照明装置の調光点灯モード（保安球の照度設定）のタイムチャートを示す図である。
【００１４】
まず、実施例の照明装置の構成を説明する。
【００１５】
実施例の照明装置１００は、図１に示すように、蛍光灯（第１発光手段）１４および保安球（第２発光手段）１７の点灯・消灯や調光を行う点灯回路１２と、この点灯回路１２を制御する制御装置１３と、蛍光灯１４および保安球１７の点灯・消灯や調光を行わせるための引き紐スイッチ（操作スイッチ）Ｓ１等を有している。
【００１６】
使用する光源は蛍光灯１４に限られず、白熱灯、ミニハロゲンなどの一般的な光源を用いることができる。
【００１７】
点灯回路１２は、一般的な照明装置の点灯回路と同様であり、この実施例では、使用する光源が蛍光灯１４であるので、ハーフブリッジ回路で代表されるようなＤＣ−矩形波変換を行い、この矩形波をＬＣ共振回路により正弦波にして蛍光灯１４に印加する回路構成とし、矩形波をパルスワイド変調することにより調光制御する。
【００１８】
また、使用する光源を白熱灯とする場合には、トライアック（双方向サイリスタ）による位相制御する回路構成とすることで調光制御を行い、使用する光源をミニハロゲンとする場合には、印加する低電圧高周波の電圧・電流を変えることにより調光制御を行う回路構成とする。
【００１９】
また、点灯回路１２は、保安球１７を点灯させる保安球点灯回路（不図示）等を有し、この保安球点灯回路は、例えばトライアックによる位相制御で保安球１７の調光などを行うようになっている。
【００２０】
制御装置１３は、引き紐スイッチＳ１の操作を検出する検出回路１５と、検出回路１５の検出結果に基づき点灯回路１２を制御して蛍光灯１４の消灯・点灯や調光を行う制御手段１６を有している。
【００２１】
この制御装置１３は、図示しないメモリー、タイマーおよび蛍光灯１４の点灯状態を制御するためのプログラム（全光点灯モードのプログラム、調光点灯モードのプログラム）、調光制御させるか否かの判断基準となる基準時間Tｓ（この実施例では１ｓ）、引き操作１回目〜４回目後に設定される蛍光灯１４や保安球１７の照度情報などを記録したＲＯＭ等を有している。メモリーには、引き紐スイッチＳ１の引き操作回数（初期値は０）などが記録される。
【００２２】
検出回路１５は、ユーザーによる引き紐スイッチＳ１の引き紐（図示せず）を引き下げた状態および引き上げた状態（元の状態）をそれぞれ検出する。つまり、引き紐を引いたときの引き紐スイッチＳ１のＯＮ状態と、引き紐を離したときのＯＦＦ状態とを検出する。
【００２３】
制御手段１６は、この検出回路１５の検出結果を常に監視して、引き操作回数が所定の回数の場合には、ユーザーが引き紐スイッチＳ１の引き紐を引き下げた時点（引き紐スイッチＳ１のＯＮ）でタイマーをスタートさせ、この引き紐スイッチＳ１がＯＮの間タイマーを計時させる。
【００２４】
また、制御手段１６は、タイマーが計時している時間Ｔｉと基準時間Ｔｓとを比較する。制御手段１６は、この比較結果に対応するメモリーに記憶された照度情報を基にして点灯回路１２を制御して蛍光灯１４の調光と点灯・消灯を行う。
【００２５】
次に実施例の照明装置の作用を説明する。
【００２６】
図２に示すように、蛍光灯１４および保安球１７が消灯しているとき、すなわち消灯モードのとき、引き紐スイッチＳ１の引き紐を引き下げて放すと、引き紐スイッチＳ１はＯＮ状態（時点ｔ１）となった後に再びＯＦＦ状態（時点ｔ２）となる。制御手段１６は、この引き紐スイッチＳ１のＯＮにより、点灯モードにして蛍光灯１４を全光点灯（１００％点灯）させる。
【００２７】
そして、蛍光灯１４が全光点灯しているときに、再度引き紐スイッチＳ１の引き紐を引き下げて（時点ｔ３）、引き下げてから基準時間Ｔｓ（１秒）以内に放すと（時点ｔ４）、制御手段１６は、蛍光灯１４を全光点灯の６５％の照度で点灯させる。
【００２８】
さらに、蛍光灯１４が６５％の照度で点灯しているときに、再び引き紐スイッチＳ１の引き紐を引き下げて（時点ｔ５）、引き下げてから基準時間Ｔｓ（１秒）以内に放すと（時点ｔ６）、制御手段１６は、保安球点灯モードにして蛍光灯１４を消灯させるとともに保安球１７を全光点灯させる。
【００２９】
そして、保安球１７が全光点灯しているときに再度引き紐スイッチＳ１の引き紐を引き下げて（時点ｔ７）、放すと、制御手段１６は、保安球１７を消灯させて初期状態の消灯モードに戻る。
【００３０】
また、図２において、蛍光灯１４が全光点灯しているときに、引き紐スイッチＳ１の引き紐を引き下げ（時点ｔ３）、図３に示すように、この引き下げている時間が基準時間Ｔｓ（１ｓ）以上経過すると、制御手段１６は、調光点灯モードにして蛍光灯１４の照度を下限の照度（１０％点灯）まで漸減させていく。
【００３１】
ここで、下限の照度（１０％点灯）に至るまでの時間（ｔｄ１−ｔ３）は、例えば、ユーザーが照度変更していると感じる時間であり、引き紐スイッチＳ１の引き紐を引き下げ状態から引き上げた状態にするために十分な時間（例えば４〜５ｓ）とする。
【００３２】
そして、制御手段１６は、蛍光灯１４の照度が下限の照度（１０％点灯）となった時点ｔｄ１で、所定時間（例えば５秒程度）この照度を維持する。
【００３３】
これは、蛍光灯１４が連続的な照度変化をするので、上限の照度や下限の照度をユーザーが認識しづらく、上限または下限の照度に設定して使用したい場合等、操作しづらい場合があることによる。
【００３４】
そして、制御手段１６は、下限の照度で所定時間（ｔｄ２−ｔｄ１）が経過した後（時点ｔｄ２）、今度は時間の経過とともに上限の照度へ（１００％点灯）へと漸増させていく。
ユーザーが所望する照度となったときに引き紐スイッチＳ１の引き紐を放すと（時点ｔ４ａ）、制御手段１６は点灯回路１２を制御して蛍光灯１４を引き紐を放した時点ｔ４ａの照度Ｎ％で点灯維持する。
【００３５】
また、時点ｔ３で引き下げた引き紐スイッチＳ１の引き紐を放さずに引き下げ続けた場合、制御手段１６は、引き下げ続けている間、蛍光灯１４の照度が漸減および漸増を一定の周期で繰り返すように点灯回路１２を制御する。
【００３６】
そして、蛍光灯１４が設定された照度Ｎ％で点灯しているときに、再度引き紐スイッチＳ１の引き紐を引き下げて（時点ｔ５ａ）、基準時間Ｔｓ（１秒）以内に放すと（時点ｔ６ａ）、制御手段１６は、保安球点灯モードにして蛍光灯１４を消灯させるとともに保安球１７を全光点灯させる。
【００３７】
そして、保安球１７が全光点灯しているときに再度引き紐スイッチＳ１の引き紐を引き下げて（時点ｔ７ａ）、放すと、制御手段１６は、保安球１７を消灯させて初期状態の消灯モードに戻る。
【００３８】
また、図３において、蛍光灯１４がＮ％点灯しているときに、引き紐スイッチＳ１の引き紐を引き下げ（時点ｔ５ａ）、図４に示すように、この引き下げている時間が基準時間Ｔｓ（１ｓ）以上経過すると、制御手段１６は、保安球調光点灯モードにして蛍光灯１４を消灯させるとともに保安球１７の照度を下限の照度（１０％点灯）まで漸減させていく。
【００３９】
そして、制御手段１６は、保安球１７の照度が下限の照度（１０％点灯）となった時点ｔｄ３で、所定時間（例えば５秒程度）この照度を維持する。
【００４０】
また、制御手段１６は、下限の照度で所定時間（ｔｄ４−ｔｄ３）が経過した後（時点ｔｄ４）、今度は時間の経過とともに上限の照度へ照度（１００％点灯）へと漸増させていく。
【００４１】
そして、ユーザーが所望する照度となったときに引き紐スイッチＳ１の引き紐を放すと（時点ｔ６ｂ）、制御手段１６は点灯回路１２を制御して保安球１７を引き紐を放した時点ｔ６ｂの照度Ｍ％で点灯維持する。
【００４２】
さらに、保安球１７が設定された照度Ｍ％で点灯しているときに、再度引き紐スイッチＳ１の引き紐を引き下げて（時点ｔ７ｃ）、放すと、制御手段１６は、保安球１７を消灯させて初期状態（図２の左端に示す状態）にもどる。
【００４３】
この照明装置１００によれば、蛍光灯１４や保安球１７の照度が漸増・漸減するサイクルを繰り返すので、ユーザーが操作ミス等により所望の照度に設定する機会を逃した場合でも、上記サイクルにより蛍光灯１４や保安球１７の照度が繰り返し増減するので所望の照度となるときが再び到来し、このとき引き紐スイッチＳ１の引き紐を放すことで所望の照度に設定することができる。また、調光の際に、照度が漸増や漸減していくので、急激な照度変化による違和感を与えてしまうこともない。
【００４４】
また、蛍光灯１４または保安球１７の上限の照度および下限の照度で所定の時間、この照度を維持するので、ユーザーが調光制御における上限および下限の照度を認知することができる。
【００４５】
前回設定した照度と光源の種類とをメモリーに記録し、この照度が最大と最小の照度の中間値より大きい値の照度の場合は最大の照度から、前回設定照度がその中間値より小さい照度の場合は最小の照度から、調光制御を開始させることとすれば、設定時間を短縮することができる。
【００４６】
照明装置１００は、保安球１７を有しているがこの保安球１７はなくてもよい。
【００４７】
本実施例では、蛍光灯１４や保安球１７の照度設定は引き紐スイッチＳ１の引き紐を引き下げている時間Ｔｉと基準時間Ｔｓとの比較結果を判断して行うが、引き紐スイッチＳ１の引き下げ量を検出回路１５により検知（例えば、完全に引き下げた状態を１００％とした場合、この完全に引き下げた状態に対する引き下げ量として検知）し、その引き下げ量に応じて、制御手段１６が調光制御における最初の照度を決める（例えば引き下げ量が３０％の場合は最小の照度から照度の増減サイクルを開始し、引き下げ量が７０％の場合は最大の照度から照度の増減サイクルを開始する）こととしてもよい。
このようにすれば、所望の照度に近い照度から調光制御を開始することができるので、時間を掛けずに所望の照度に素早く設定することができる。
【００４８】
以上、本発明の照明装置を実施例に基づき説明してきたが、具体的な構成については、これらの実施例に限られるものではなく、特許請求の範囲の各請求項に係る発明の要旨を逸脱しない限り、設計の変更や追加等は許容される。
【産業上の利用可能性】
【００４９】
実施例では、電源スイッチ以外の操作スイッチを有する照明装置に対して操作スイッチの操作時間に基づき、所定の照度で点灯させたり蛍光灯１４の照度を漸減および漸増させて照度設定する照明装置の例を示したが、発光手段を有し、制御装置によりこの発光手段の照度を設定することができる他の機器、例えば携帯電話の液晶表示画面のバックライトやＰＣモニターなどに対しても適用することができる。
【００５０】
要するに、発光手段と、電源スイッチ以外の操作スイッチと、操作スイッチの操作時間を計測し、この操作時間に基づいて発光手段を制御する制御装置とを備えている機器であれば適用できる。
【図面の簡単な説明】
【００５１】
【図１】実施例の照明装置の回路構成を示すブロック図である。
【図２】実施例の照明装置の全光点灯モードのタイムチャートを示す図である。
【図３】実施例の照明装置の調光点灯モード（蛍光灯の照度設定）のタイムチャートを示す図である。
【図４】実施例の照明装置の調光点灯モード（保安球の照度設定）のタイムチャートを示す図である。
【符号の説明】
【００５２】
１４   蛍光灯
１６   制御手段
Ｓ１   引き紐スイッチ
【図１】
2010113990.tif 000003
【図２】
2010113990.tif 000004
【図３】
2010113990.tif 000005
【図４】
2010113990.tif 000006